(57)【要約】【課題】色材量制限処理の処理内容の修正を容易に行う。【解決手段】パーソナルコンピュータ１は、印刷する画像をＲＧＢ表色系で表現した画像データを複合機２に送信することにより印刷指示を行う。複合機２は、パーソナルコンピュータ１からの印刷指示を受けると、その画像データ（ＲＧＢデータ）を、印刷に用いられるインクの総量が制限された画像データ（ＲＧＢデータ）に変換するインク総量制限処理を行う。そして、変換後のＲＧＢ表色系の画像データをインクの色に対応したＣＭＹＫ表色系の画像データに変換し、変換後の画像データ（ＣＭＹＫデータ）に基づき画像を印刷する。【選択図】図２
2009232229.tif 000002
【特許請求の範囲】
【請求項１】
ルックアップテーブルを作成する作成手段と、
印刷する画像を表す画像データを、印刷に用いられる色材の色値で表現された印刷用の画像データに変換する変換手段と、
前記変換手段により変換される前の画像データを、印刷に用いられる色材量が制限された画像データに、前記ルックアップテーブルを用いて変換する色材量制限処理を行う制限手段と、
を備えることを特徴とする画像処理システム。
【請求項２】
前記作成手段は、カラーパッチの印刷結果に基づき、印刷結果が良好でないカラーパッチの色値を印刷結果が良好なカラーパッチの色値に変換するルックアップテーブルを作成すること
を特徴とする請求項１に記載の画像処理システム。
【請求項３】
前記印刷用の画像データは、色材の色数に対応するＮ次元の色空間で表現され、
前記変換手段による変換対象となる画像データは、Ｍ次元（Ｍ＜Ｎ）の色空間で表現されること
を特徴とする請求項１又は請求項２に記載の画像処理システム。
【請求項４】
前記制限手段は、前記色材量制限処理として、３次元の色空間で表現された画像データを、３次元の色空間で表現された画像データに変換する処理を行うこと
を特徴とする請求項３に記載の画像処理システム。
【請求項５】
ルックアップテーブルを作成する作成手段と、
印刷する画像を表す画像データを、印刷に用いられる色材の色値で表現された印刷用の画像データに変換する変換手段と、
前記変換手段により変換される前の画像データを、印刷に用いられる色材量が制限された画像データに、前記ルックアップテーブルを用いて変換する色材量制限処理を行う制限手段としてコンピュータシステムを機能させること
を特徴とする画像処理プログラム。
【請求項６】
ルックアップテーブルを作成し、印刷する画像を表す画像データを、印刷に用いられる色材の色値で表現された印刷用の画像データに変換する前に、前記ルックアップテーブルを用いて、印刷に用いられる色材量が制限された画像データに変換する色材量制限処理を行うこと
を特徴とする画像処理方法。
【発明の詳細な説明】
【技術分野】
【０００１】
本発明は、印刷に用いられる色材量を制限するための画像処理システム、画像処理プログラム及び画像処理方法に関するものである。
【背景技術】
【０００２】
従来、例えばシアン（Ｃ）、マゼンタ（Ｍ）、イエロー（Ｙ）、ブラック（Ｋ）といった複数色の色材（インクやトナー等）を用いてカラー画像を印刷する印刷装置が知られている。
【０００３】
こうした印刷装置では、印刷する画像を表す画像データ（例えばＲＧＢ表色系の画像データ）を、色材の色に対応する表色系（例えばＣＭＹＫ表色系）に変換し、変換後の画像データに基づき画像を印刷する。ここで、画像の色は、各色材を重ね合わせることにより表現されるため、画像の色によっては、その色を表現するために用いられる色材の総量が過剰となり良好な印刷結果が得られないことがある。
【０００４】
そこで、印刷に用いられる色材の総量が制限されるように画像データを変換した上で画像を印刷する手法が提案されている。例えば特許文献１に記載の複写機は、画像入力部からＲＧＢ表色系の画像データを入力し、この画像データを色材の色に対応するＣＭＹＫ表色系の画像データに変換した後、色材の総量があらかじめ設定されている規制値未満となるように画像データを更に変換した上で画像を印刷する。
【特許文献１】特開２００３−１２５２２５号公報
【発明の開示】
【発明が解決しようとする課題】
【０００５】
ところで、良好な印刷結果を得るための色材の制限量は、色材の種類や印刷媒体の種類といった印刷条件により異なるため、例えば印刷装置の製造時には想定されていなかった印刷条件に対応させる場合、色材量制限処理の処理内容を修正することが好ましい。
【０００６】
しかしながら、前述したように、色材量制限処理は、あらかじめ印刷装置内部に組み込まれたプログラムによって実行されることが一般的であり、画像データを色材の色に対応する表色系の画像データに変換した後に行われるため、後から処理内容を容易に変更することができないという問題があった。
【０００７】
本発明は、こうした問題にかんがみてなされたものであり、色材量制限処理の処理内容の修正を容易に行うことのできる画像処理システム、画像処理プログラム及び画像処理方法を提供することを目的としている。
【課題を解決するための手段】
【０００８】
上記目的を達成するためになされた本発明の請求項１に記載の画像処理システムは、ルックアップテーブルを作成する作成手段と、印刷する画像を表す画像データを、印刷に用いられる色材の色値で表現された印刷用の画像データに変換する変換手段と、変換手段により変換される前の画像データを、印刷に用いられる色材量が制限された画像データに、ルックアップテーブルを用いて変換する色材量制限処理を行う制限手段とを備える。
【０００９】
このような画像処理システムによれば、画像データを印刷用の画像データに変換する前に色材量制限処理を行うようにしているため、印刷装置内部に組み込まれたプログラムを書き換えなくても、色材量制限処理の処理内容の修正（色材制限量の変更やルックアップテーブルの追加等）を容易に行うことができる。なお、本発明の画像処理システムは、単体の装置（例えば印刷装置）として構成することも、複数の装置により構成することも可能である。
【００１０】
また、ルックアップテーブルを用いることで、例えばシアントナーを用いる場合にはイエロートナーを制限するといったように、使用する色材の組合せに応じた複雑な制限についても容易に行うことができ、色材量制限処理のための計算負荷を抑制することができる。
【００１１】
また、ルックアップテーブルは、印刷に用いられる色材の種類や印刷媒体の種類といった印刷条件に対応するものを記憶しておくことが可能であるが、色材や印刷媒体としては、あらかじめ想定していたものとは異なる種類のもの（対応するルックアップテーブルが記憶されていないもの）が用いられる可能性がある。このような場合であっても、色材の種類や印刷媒体の種類といった印刷条件に応じて作成されたルックアップテーブルを用いて、適切な色材量制限処理を行うことができる。
【００１２】
ここで、ルックアップテーブルの作成は、例えば請求項２に記載のように行うことができる。すなわち、請求項２に記載の画像処理システムでは、作成手段は、カラーパッチの印刷結果に基づき、印刷結果が良好でないカラーパッチの色値を印刷結果が良好なカラーパッチの色値に変換するルックアップテーブルを作成する。
【００１３】
このような画像処理システムによれば、過剰な量の色材が印刷に用いられることによる印刷品質の低下を防止して良好な印刷結果を得るためのルックアップテーブルを容易に作成することができる。
【００１４】
また、請求項３に記載の画像処理システムでは、印刷用の画像データは、色材の色数に対応するＮ次元の色空間で表現され、変換手段による変換対象となる画像データは、Ｍ次元（Ｍ＜Ｎ）の色空間で表現される。
【００１５】
このような画像処理システムによれば、印刷用の画像データに対し色材量制限処理を行う場合に比べ、次元数の小さい色空間を対象とした処理となるため、色材量制限処理を簡略化することが可能となり、使用メモリ量の低減や処理速度の向上等を図ることができる。
【００１６】
特に、請求項４に記載の画像処理システムでは、制限手段は、色材量制限処理として、３次元の色空間で表現された画像データを、３次元の色空間で表現された画像データに変換する処理を行う。
【００１７】
このような画像処理システムによれば、印刷用の画像データに対し色材量制限処理を行う場合に比べ、色材量制限処理後の画像データを３次元のモニタ信号へ変換することによる階調の劣化等を生じにくくすることができるため、モニタシミュレーションを精度よく行うことができる。色材量制限処理後の画像データが３次元の色空間で表現されるため、次元数を縮小することなく３次元のモニタ信号にカラーマッチングすることができるからである。この結果、次元数をＮ次元（Ｎ＞３）から３次元に縮小する場合に比べ、色材量制限処理後の出力画像を精度よくシミュレーションすることができる。
【００１８】
次に、請求項５に記載の画像処理プログラムは、ルックアップテーブルを作成する作成手段と、印刷する画像を表す画像データを、印刷に用いられる色材の色値で表現された印刷用の画像データに変換する変換手段と、変換手段により変換される前の画像データを、印刷に用いられる色材量が制限された画像データに、ルックアップテーブルを用いて変換する色材量制限処理を行う制限手段としてコンピュータシステムを機能させる。
【００１９】
このような画像処理プログラムによれば、請求項１に記載の画像処理システムとしてコンピュータシステムを機能させることができ、これにより前述した効果を得ることができる。
【００２０】
次に、請求項６に記載の画像処理方法は、ルックアップテーブルを作成し、印刷する画像を表す画像データを、印刷に用いられる色材の色値で表現された印刷用の画像データに変換する前に、印刷に用いられる色材量が制限された画像データに、ルックアップテーブルを用いて変換する色材量制限処理を行うものである。
【００２１】
このような画像処理方法によれば、請求項１に記載の画像処理システムと同様の効果を得ることができる。
【発明を実施するための最良の形態】
【００２２】
以下、本発明が適用された実施形態について、図面を用いて説明する。
［１．全体構成］
図１は、実施形態の通信システムの概略構成を表すブロック図である。
【００２３】
同図に示すように、この通信システムは、パーソナルコンピュータ（ＰＣ）１と複合機２とがネットワーク（本実施形態ではＬＡＮ：Ｌｏｃａｌ  Ａｒｅａ  Ｎｅｔｗｏｒｋ）を介してデータ通信可能に構成されたものである。
【００２４】
パーソナルコンピュータ１は、汎用の情報処理装置であり、制御部１１と、記憶部１２と、通信部１３と、操作部１４と、表示部１５とを備えている。
制御部１１は、ＣＰＵ１１１、ＲＯＭ１１２、ＲＡＭ１１３等を備え、パーソナルコンピュータ１を構成する各部を統括制御する。
【００２５】
記憶部１２は、各種情報を記憶するためのものであり、ハードディスク装置が用いられている。そして、記憶部１２には、オペレーティングシステム（ＯＳ）１２１、画像閲覧ソフト等のアプリケーションプログラム１２２、複合機２用のプリンタドライバ１２３などがインストールされている。また、記憶部１２には、ＲＧＢ表色系において、印刷する画像を表す画像データを、印刷に用いられるインクの総量が制限される画像データに変換するためのインク総量制限ルックアップテーブル（以下「インク総量制限ＬＵＴ」という。）１２４が記憶されている。なお、記憶部１２には、後述する処理（図３）をＣＰＵ１１１に実行させるためのプログラムも記憶されている。
【００２６】
通信部１３は、ネットワークを介して複合機２と通信するためのインタフェースである。
操作部１４は、ユーザからの外部操作による指令を入力するためのものであり、キーボードやポインティングデバイス（マウス等）を備えている。
【００２７】
表示部１５は、各種情報をユーザが視認可能な画像として表示するためのものであり、液晶ディスプレイが用いられている。
一方、複合機２は、スキャナ機能やプリンタ機能等を有する多機能装置であり、制御部２１と、記憶部２２と、通信部２３と、操作部２４と、表示部２５と、読取部２６と、印刷部２７とを備えている。
【００２８】
制御部２１は、ＣＰＵ２１１、ＲＯＭ２１２、ＲＡＭ２１３等を備え、複合機２を構成する各部を統括制御する。
記憶部２２は、各種情報を記憶するためのものであり、フラッシュメモリが用いられている。なお、記憶部２２には、後述する処理（図６）をＣＰＵ２１１に実行させるためのプログラムも記憶されている。
【００２９】
通信部２３は、ネットワークを介してパーソナルコンピュータ１と通信するためのインタフェースである。
操作部２４は、ユーザからの外部操作による指令を入力するためのものであり、各種操作ボタンを備えている。
【００３０】
表示部２５は、メッセージ等の情報をユーザが視認可能な画像として表示するためのものであり、小型の液晶ディスプレイが用いられている。
読取部（スキャナ）２６は、所定の原稿読取位置にセットされた原稿の画像を読み取り、この画像を表す画像データ（具体的にはＲＧＢ表色系で表現された画像データ）を生成する。
【００３１】
印刷部（プリンタ）２７は、インクジェット方式のものであり、シアン（Ｃ）、マゼンタ（Ｍ）、イエロー（Ｙ）及びブラック（Ｋ）の各色インクを印刷媒体としての用紙に吐出してカラー画像を印刷する。
【００３２】
［２．通信システムで実行される処理の概要］
次に、本実施形態の通信システムで実行される処理の概要について説明する。
図２に示すように、パーソナルコンピュータ１は、印刷する画像をＲＧＢ表色系で表現した画像データを複合機２に送信することにより印刷指示を行う。複合機２は、パーソナルコンピュータ１からの印刷指示を受けると、その画像データ（ＲＧＢデータ）を、印刷に用いられるインクの総量が制限された画像データ（ＲＧＢデータ）に変換するインク総量制限処理を行う。そして、変換後のＲＧＢ表色系の画像データをインクの色に対応したＣＭＹＫ表色系の画像データに変換し、変換後の画像データ（ＣＭＹＫデータ）に基づき画像を印刷する。
【００３３】
［３．パーソナルコンピュータ及び複合機で実行される処理手順］
次に、パーソナルコンピュータ１及び複合機２のそれぞれで実行される具体的な処理手順について説明する。
【００３４】
図３は、パーソナルコンピュータ１の制御部１１（具体的にはＣＰＵ１１１）が実行するＬＵＴ作成処理のフローチャートである。なお、このＬＵＴ作成処理は、インク総量制限ＬＵＴ１２４を新たに作成するためのユーザによる操作がパーソナルコンピュータ１で行われることにより開始される。
【００３５】
制御部１１は、ＬＵＴ作成処理を開始すると、まずＳ１０１で、インク量確認チャートを表す画像データを複合機２へ送信する。ここで、インク量確認チャートとは、用紙に印刷されるインクの量を確認するためのものである。具体的には、図４に示すように、ＲＧＢ値を（０，０，０）から（２５５，２５５，２５５）までそれぞれ９階調で変化させた７２９個のパッチからなるものであり、各パッチは印刷時のにじみ度合いを検出するために間隔を空けて配置されている。このＳ１０１の処理により、複合機２では、インク量確認チャートが用紙に印刷される。
【００３６】
続いて、Ｓ１０２では、複合機２で印刷されたインク量確認チャートの印刷物の両面（印刷面及び裏面）をユーザに目視させ、パッチごとに印刷面から見たにじみ度合い及び裏面から見た裏写り度合いを判断させる。具体的には、印刷されるインク量確認チャートと同様の画像を表示部１５に表示させ、にじみ又は裏写りのあるパッチをユーザに選択させる（選択操作を促すメッセージを表示させる）。
【００３７】
続いて、Ｓ１０３では、Ｓ１０２で選択されなかったパッチ（にじみ及び裏写りのないパッチ）からなる良好パッチリストと、選択されたパッチ（にじみ又は裏写りのあるパッチ）からなる不具合パッチリストとを作成する。このとき、各パッチのＲＧＢ値から明度、彩度、色相により表現される色値（本実施形態ではＹＣｒＣｂ値）を算出し、各ＲＧＢ値と対応付ける。
【００３８】
続いて、Ｓ１０４では、不具合パッチリストの中から処理対象のパッチを１つ選択し、そのパッチのＹＣｒＣｂ値との色差が最も小さいＹＣｒＣｂ値のパッチを良好パッチリストの中から検索する。不具合パッチのＹＣｒＣｂ値（ＹbＣｒbＣｂb）と良好パッチのＹＣｒＣｂ値（ＹgＣｒgＣｂg）の色差ΔＥは式（１）で算出する。式（１）において、ａ，ｂ，ｃは重み係数であり、重み係数を調節することで、例えば明度に重みを置いた探索（ａの値を大きくする）や彩度に重みを置いた探索（ａの値を小さくする）を行うことができる。なお、Ｓ１０４〜Ｓ１０６の処理は、不具合パッチリストのすべてのパッチに対する処理が終了するまで繰り返されるようになっており、このＳ１０４では、まだ処理対象になっていないパッチを選択する。
【００３９】
【数１】
2009232229.tif 000003
続いて、Ｓ１０５では、不具合パッチリストのＲＧＢ値を、検索された良好パッチリストのＲＧＢ値に置き換える。
【００４０】
続いて、Ｓ１０６では、不具合パッチリストのすべてのパッチについて値の置き換え処理を行ったか否か（すべてのパッチに対する処理が終了したか否か）を判定する。
そして、Ｓ１０６で、すべてのパッチについて値の置き換え処理を行っていない（未処理のパッチが残っている）と判定した場合には、Ｓ１０４へ戻る。
【００４１】
一方、Ｓ１０６で、すべてのパッチについて値の置き換え処理を行ったと判定した場合には、Ｓ１０７へ移行し、入力ＲＧＢ値を出力ＲＧＢ値に変換する色変換テーブルを作成し、インク総量制限ＬＵＴ１２４として記憶部１２に登録する。具体的には、インク量確認チャートの各パッチのＲＧＢ値を入力ＲＧＢ値とし、良好パッチリストに分類されたＲＧＢ値を出力ＲＧＢ値とする。つまり、入力ＲＧＢ値が良好パッチリストに分類されたものはそのまま保持し、入力ＲＧＢ値が不具合パッチリストに分類されたものについてのみ、Ｓ１０５での置き換え処理に基づき、良好パッチリストに分類されたＲＧＢ値（ＹＣｒＣｂ値との色差が最も小さいもの）に変換する内容の色変換テーブルを作成する。
【００４２】
続いて、Ｓ１０８では、Ｓ１０７で新たに作成したインク総量制限ＬＵＴ１２４を用いて、あらかじめ記憶されているサンプル画像を表す画像データ（ＲＧＢデータ）を変換する処理を行う（図５（ａ）参照）。
【００４３】
続いて、Ｓ１０９では、Ｓ１０８で変換した画像データ（ＲＧＢデータ）の表すサンプル画像を表示部１５に表示するとともに（図５（ａ）参照）、表示された変換処理結果で問題ないか否かをユーザに回答させるためのメッセージを表示する。
【００４４】
続いて、Ｓ１１０では、Ｓ１０９で表示部１５に表示させたサンプル画像及びメッセージに対し、表示された変換処理結果で問題ない旨の回答がユーザから得られたか否かを判定する。
【００４５】
そして、Ｓ１１０で、表示された変換処理結果で問題ない旨の回答が得られていないと判定した場合には、Ｓ１１１へ移行し、Ｓ１０７で作成して記憶部１２に登録したインク総量制限ＬＵＴ１２４に対し、出力ＲＧＢ値の不規則性を緩和するスムージング処理を施す。その後、Ｓ１０８へ戻り、スムージング処理後のインク総量制限ＬＵＴ１２４を用いて前述した処理を行う。
【００４６】
一方、Ｓ１１０で、表示された変換処理結果で問題ない旨の回答が得られたと判定した場合には、本ＬＵＴ作成処理を終了する。
次に、複合機２で実行される処理について説明する。
【００４７】
図６は、パーソナルコンピュータ１から印刷指示を受けることにより複合機２の制御部２１（具体的にはＣＰＵ２１１）が実行する画像印刷処理のフローチャートである。
制御部２１は、画像印刷処理を開始すると、まずＳ２０１で、パーソナルコンピュータ１から受信した画像データ（ＲＧＢデータ）に対し、パーソナルコンピュータ１に記憶されているインク総量制限ＬＵＴ１２４を用いてインク総量制限処理を行う。なお、インク総量制限ＬＵＴ１２４は、パーソナルコンピュータ１へ送信要求を送信することにより取得するようにしてもよく、また、パーソナルコンピュータ１から印刷指示とともに送信されるようにしてもよい。
【００４８】
続いて、Ｓ２０２では、Ｓ２０１で処理が行われた画像データをＲＧＢデータからＣＭＹＫデータに変換する。
続いて、Ｓ２０３では、Ｓ２０２で変換されたＣＭＹＫデータに基づき画像を印刷する処理を行う。その後、本画像印刷処理を終了する。
【００４９】
［４．効果］
以上説明したように、本実施形態の通信システムにおいて、複合機２は、インクの色に対応した４次元のＣＭＹＫデータに変換する前の３次元のＲＧＢデータに対してインク総量制限処理を行う（Ｓ２０１）。このため、図７に示すようにＣＭＹＫデータに変換した後にインク総量制限処理を行う場合に比べ、インク総量制限処理の処理内容の修正（インク総量制限ＬＵＴ１２４の追加等）を容易に行うことができる。しかも、インク総量制限ＬＵＴ１２４のサイズを小さくすることが可能となり、使用メモリ量の低減や処理速度の向上等を図ることができる。
【００５０】
特に、インク総量制限処理後の画像データが３次元のＲＧＢデータとなるため、図５（ｂ）に示すようにＲＧＢデータをＣＭＹＫデータに変換した後にインク総量制限処理を行う場合に比べ、インク総量制限処理後の画像データの次元数を縮小することなく３次元のモニタ信号にカラーマッチングすることができる。この結果、ＣＭＹＫデータに比べモニタシミュレーションを精度よく行うことができる。
【００５１】
また、複合機２は、ルックアップテーブル（インク総量制限ＬＵＴ１２４）を用いてインク総量制限処理を行うため、使用するインクの組合せに応じた複雑な制限についても容易に行うことができ、インク総量制限処理のための計算負荷を抑制することができる。
【００５２】
さらに、この通信システムでは、複合機２の記憶部２２（フラッシュメモリ）よりも大容量のパーソナルコンピュータ１の記憶部１２（ハードディスク装置）にインク総量制限ＬＵＴ１２４を記憶するようにしているため、インク総量制限ＬＵＴ１２４を複合機２に記憶させる構成に比べ、インク総量制限ＬＵＴ１２４の記憶容量を大きくすることが可能となる。また、インク総量制限処理の処理内容の修正を複合機２の外部で（複合機２自体に手を加えることなく）容易に行うことができる。
【００５３】
一方、この通信システムでは、パーソナルコンピュータ１が、インク総量制限ＬＵＴ１２４を新たに作成する処理を行うため（Ｓ１０１〜Ｓ１１１）、インクの種類や用紙の種類といった印刷条件に応じて適切なインク総量制限処理を行うことができる。この結果、良好な印刷結果を得ることができるとともに、用紙のインク吸収量の上限を超えてインクが吐出されることにより用紙からあふれ出たインクが複合機２の内部を汚して複合機２の寿命を縮めてしまうといった問題を生じにくくすることができる。すなわち、用紙やインクとしては、印刷装置（本実施形態では複合機２）の製造時には想定されていなかった種類のものが新たに開発される可能性があり、特に、近年では、印刷装置の専用紙や専用インク以外にも、様々な汎用紙やリフィルインクが出回っており、それらを一般ユーザが使用する例が増えている。したがって、印刷条件に応じたインク総量制限ＬＵＴ１２４を作成できることは非常に効果的である。
【００５４】
また、パーソナルコンピュータ１は、カラーパッチの印刷結果に基づき、不具合パッチリストの値を、良好パッチリストの値に置き換えることによりインク総量制限ＬＵＴ１２４を作成するようにしているため、過剰な量のインクが印刷に用いられることによる印刷品質の低下を防止して良好な印刷結果を得るためのインク総量制限ＬＵＴ１２４を容易に作成することができる。
【００５５】
［５．特許請求の範囲との対応］
なお、本実施形態では、パーソナルコンピュータ１及び複合機２が通信可能に構成された通信システムが画像処理システムに相当する。特に、パーソナルコンピュータ１においては、Ｓ１０１〜Ｓ１１１の処理を実行する制御部１１が作成手段に相当する。また、複合機２においては、Ｓ２０１の処理を実行する制御部２１が制限手段に相当し、Ｓ２０２の処理を実行する制御部２１が変換手段に相当する。
【００５６】
［６．他の形態］
以上、本発明の実施形態について説明したが、本発明は、上記実施形態に限定されることなく、種々の形態を採り得ることは言うまでもない。
【００５７】
［６−１．ＬＵＴ作成処理］
上記実施形態では、インク量確認チャートが印刷された印刷物をユーザに目視で確認させ、画像のにじみ度合い及び裏写り度合いを判断させるようにしているが、これに限定されるものではない。例えば、印刷物の両面を複合機２の読取部２６に読み取らせ、その読取画像に基づき複合機２の制御部２１がパッチごとのにじみ度合い及び裏写り度合いを自動判定するようにしてもよい。
【００５８】
また、上記実施形態では、式（１）のような計算式で色差ΔＥを求めるが、式（２）、式（３）のように偏角φ及び仰角θを計算し、色差ΔＥを式（４）のように求めることで、色相に重みを置いた探索（ｅの値を大きくする）を行ってもよい。なお、添え字がｇのものは良好パッチのＹＣｒＣｂ値より、添え字がｂのものは良好パッチのＹＣｒＣｂ値より求められた値であることを表し、ｄ，ｅは重み係数を表す。これらの色差の計算はＹＣｒＣｂ空間に限らず、ＬａｂやＣＩＥＣＡＭ０２などの他の色空間における色差式で行われてもよい。
【００５９】
【数２】
2009232229.tif 000004
［６−２．インク総量制限処理］
上記実施形態では、インク総量制限処理を複合機２で行うようにしているが、これに限定されるものではなく、例えばパーソナルコンピュータ１で行うようにしてもよい。このようにすれば、本発明の画像処理システムをパーソナルコンピュータ１のみにより構成することも可能となる。
【００６０】
［６−３．色材］
上記実施形態では、ＣＭＹＫの４色のインクを用いて画像を印刷するインクジェット方式の印刷部２７を例に挙げて説明したが、これに限定されるものではなく、例えばより多くの色のインクを用いる構成とすることも可能である。また、色材はインクに限定されるものではなく、例えば複数色のトナーを用いて画像を形成するレーザ転写方式であってもよい。この場合、不具合パッチの判定は、トナーの定着不良の度合いによって行ってもよい。
【００６１】
［６−４．画像データ］
上記実施形態では、複合機２に入力される画像データとしてＲＧＢデータを例示したが、これに限定されるものではなく、他の形式であっても本発明を適用することができる。
【図面の簡単な説明】
【００６２】
【図１】実施形態の通信システムの概略構成を表すブロック図である。
【図２】実施形態の通信システムで実行される処理の説明図である。
【図３】パーソナルコンピュータにより実行されるＬＵＴ作成処理のフローチャートである。
【図４】インク量確認チャートの説明図である。
【図５】サンプル画像を表示部に表示する処理の説明図である。
【図６】複合機により実行される画像印刷処理のフローチャートである。
【図７】ＣＭＹＫデータに変換した後にインク総量制限処理を行う場合の説明図である。
【符号の説明】
【００６３】
１…パーソナルコンピュータ、２…複合機、１１…制御部、１２…記憶部、１２４…インク総量制限ＬＵＴ、１３…通信部、１４…操作部、１５…表示部、２１…制御部、２２…記憶部、２３…通信部、２４…操作部、２５…表示部、２６…読取部、２７…印刷部、４０…インクカートリッジ、４０１…ＩＣチップ、４２…インクカートリッジ取付部、４３…インク検出部、４５…用紙検出部、４５１…透過率測定センサ、４５２…反射率測定センサ
【図１】
2009232229.tif 000005
【図２】
2009232229.tif 000006
【図３】
2009232229.tif 000007
【図４】
2009232229.tif 000008
【図５】
2009232229.tif 000009
【図６】
2009232229.tif 000010
【図７】
2009232229.tif 000011